(57)【要約】  移動局におけるチャネルアクセス方法において、複数の上り伝送サブフレームの１つである第１のサブフレームにおいて予め指示されている第１のリスニング方式によってチャネルリスニングを行い、第１のサブフレームにおける上り伝送に成功した場合、当該第１のサブフレームからの最大チャネル占有時間内であって、第１のサブフレームに後続する第２のサブフレームにおいて、第１のリスニング方式に比べてチャネルアクセスの難しさが低い第２のリスニング方式によって、チャネルリスニングを行う。
2018030539.tif 000002
【特許請求の範囲】
【請求項１】
移動局によって実行されるチャネルアクセス方法であって、
前記移動局に対して、複数の上り伝送サブフレームに対するリスニング方式が指示された状態において、前記複数の上り伝送サブフレームの１つである第１のサブフレームにおいて予め指示されている第１のリスニング方式によってチャネルリスニングを行う第１のステップと、
前記第１のサブフレームにおける上り伝送に成功した場合、当該第１のサブフレームからの最大チャネル占有時間内であって、前記第１のサブフレームに後続する第２のサブフレームにおいて、前記第１のリスニング方式に比べてチャネルアクセスの難しさが低い第２のリスニング方式によって、チャネルリスニングを行う第２のステップと、を含むことを特徴とするチャネルアクセス方法。
【請求項２】
前記第２のサブフレームに対するリスニング方式として前記第１のリスニング方式を適用することを指示するスケジューリング情報を受信するステップを更に含み、前記第２のリスニング方式はリスニングを行わない内容であることを特徴とする請求項１に記載のチャネルアクセス方法。
【請求項３】
前記第２のステップにおいて、前記第２のサブフレームが前記最大チャネル占有時間内にあるか否か判断するステップを含むことを特徴とする請求項１に記載のチャネルアクセス方法。
【請求項４】
上りリンクに対するチャネルアクセスを行う移動局であって、
上り伝送サブフレームに適用するリスニング方式が含まれたスケジューリング情報を受信する受信部と、
複数の上り伝送サブフレームに対するリスニング方式が指示された状態において、前記複数の上り伝送サブフレームの１つである第１のサブフレームにおいて予め指示されている第１のリスニング方式によってチャネルリスニングを行うチャネルアクセス部と、を具備し、
前記チャネルアクセス部は、前記第１のサブフレームにおける上り伝送に成功した場合、当該第１のサブフレームからの最大チャネル占有時間内であって、前記第１のサブフレームに後続する第２のサブフレームにおいて、前記第１のリスニング方式に比べてチャネルアクセスの難しさが低い第２のリスニング方式によって、チャネルリスニングを行うことを特徴とする移動局。
【発明の詳細な説明】
【技術分野】
【０００１】
本発明は、チャネルアクセス方法及び移動局に関する。さらに具体的には、本発明はリスンビフォアトーク（ｌｉｓｔｅｎ−ｂｅｆｏｒｅ−ｔａｌｋ）という仕組みについてのチャネルアクセス方法及び移動局に関する。
【背景技術】
【０００２】
ＬＴＥに後続するＬＴＥ−Ａｄｖａｎｃｅｄ（ＬＴＥ−Ａ：Ｌｏｎｇ  Ｔｅｒｍ  Ｅｖｏｌｕｔｉｏｎ−Ａｄｖａｎｃｅｄ）などの将来の無線通信システムにおいて、ライセンス補助アクセス（ＬＡＡ：Ｌｉｃｅｎｓｅ  Ａｓｓｉｓｔｅｄ  Ａｃｃｅｓｓ）技術を用いて移動通信システムのスループットをさらに向上させることが研究されている。ライセンス補助アクセス技術を用いたセルにおいては、ライセンスされた帯域のほか、さらに基地局及びユーザがＷｉＦｉシステムなどのような他のシステムに用いられた非ライセンス帯域を用いて通信を行ってもよい。
【発明の概要】
【発明が解決しようとする課題】
【０００３】
ライセンス補助アクセス技術において無線通信システムとＷｉＦｉシステムなどのような他のシステムが非ライセンス帯域を共同に使用するため、したがって、基地局及び移動局はデータを送信する前に非ライセンス帯域に対しリスニングすることで、非ライセンス帯域が使用可能であることを確認する必要がある。具体的には、基地局は移動局に該移動局がチャネルリスニングを行うべきリスニングカテゴリを指示し、なお移動局は指示されたカテゴリによってチャネルリスニングを行う。
【課題を解決するための手段】
【０００４】
本発明の一態様に係るチャネルアクセス方法は、移動局によって実行されるチャネルアクセス方法であって、前記移動局に対して、複数の上り伝送サブフレームに対するリスニング方式が指示された状態において、前記複数の上り伝送サブフレームの１つである第１のサブフレームにおいて予め指示されている第１のリスニング方式によってチャネルリスニングを行う第１のステップと、前記第１のサブフレームにおける上り伝送に成功した場合、当該第１のサブフレームからの最大チャネル占有時間内であって、前記第１のサブフレームに後続する第２のサブフレームにおいて、前記第１のリスニング方式に比べてチャネルアクセスの難しさが低い第２のリスニング方式によって、チャネルリスニングを行う第２のステップと、を含むことを特徴とする。
【発明の効果】
【０００５】
本発明の上記態様の技術案によれば、チャネルアクセスの効率を効果的に向上させることができ、それによって無線通信システムは非ライセンス帯域を効果的に使用しデータ伝送を行うことができる。
【図面の簡単な説明】
【０００６】
図面を参照しながら本発明の実施例について詳細に説明することで、本発明の上記ならびにその他の目的、特徴、長所はより明らかになる。
【図１】本発明の実施例に係る通信システムによって非ライセンス帯域を使用して伝送を行う１つの例の様子を示す説明図である。
【図２】本発明の一実施例に係る移動局によって実行されるチャネルアクセス方法を示すフローチャートである。
【図３】本発明の実施例に係る通信システムによって非ライセンス帯域を使用して伝送を行う別の例の様子を示す説明図である。
【図４】本発明の別の実施例に係る基地局によって実行されるチャネルアクセス方法を示すフローチャートである。
【図５】本発明の実施例に係る通信システムによって非ライセンス帯域を使用して伝送を行うもう１つの例の様子を示す説明図である。
【図６】本発明の実施例に係る移動局を示すブロック図である。
【図７】本発明の別の実施例に係る基地局を示すブロック図である。
【発明を実施するための形態】
【０００７】
以下、図面を参照しながら本発明の実施例に係るチャネルアクセス方法、基地局及び移動局について説明する。図面において、同じ参照符号は終始同じ素子を示す。理解すべきことは、ここで述べる実施例は説明的なものに過ぎず、本発明の範囲を限定するものとして解釈してはならない。なお、ここに記載のＵＥは様々なカテゴリのユーザ端末、例えば移動端末（もしくは移動局と称す）又は固定端末を含み、ただし便宜上、以下では場合によってＵＥと移動局とを互換して使用してもよい。
【０００８】
本発明の実施例に係る技術案はＬＡＡ技術の通信システムを用い、該通信システムにおいて、非ライセンス帯域を使用して伝送を行うことができる。まず、図１を参照しながら本発明の実施例に係る通信システムによって非ライセンス帯域を使用して伝送を行う概略的な様子を説明する。図１は本発明の実施例に係る通信システムによって非ライセンス帯域を使用して伝送を行う１つの例の様子を示す説明図である。
【０００９】
図１に示す例において、基地局が非ライセンス帯域を使用して下り伝送を行うことを望む場合、非ライセンス帯域に対してチャネルリスニングを行う。１つのサブフレームにおけるリスニング結果によってチャネルにアクセスすることができると特定した場合、基地局は該サブフレームにおいて下り伝送を行う。以下、基地局がチャネルリスニングを行って下り伝送を行ったサブフレームを「下り伝送サブフレーム」と称す。図１に示すように、サブフレーム１１０において、基地局はチャネルをリスニングし下り伝送を行う。例えば、下り伝送サブフレームにおいて、基地局は、移動局がスケジューリング情報によって非ライセンス帯域に対してチャネルリスニングを行い、リスニング結果によってチャネルにアクセスして上り伝送を行うことができるか否かを特定するように、移動局へスケジューリング情報を含んだ制御シグナリングを送信する。同様に、サブフレーム１２０においても、基地局はチャネルをリスニングして下り伝送を行う。
【００１０】
スケジューリング情報は、移動局がチャネルリスニングを行って上り伝送を試すことができるサブフレームに関する情報を含む。以下、基地局に指示された、移動局がチャネルリスニングを行って上り伝送を試すことができるサブフレームを「上り伝送サブフレーム」と称す。基地局は１つの下り伝送サブフレームにおけるスケジューリング情報によって複数の上り伝送サブフレームをスケジューリングすることができる。移動局は基地局から送信されたスケジューリング情報によってチャネルリスニングを行うサブフレームを特定することができる。図１に示すように、基地局がサブフレーム１１０において送信したスケジューリング情報によって、移動局はサブフレーム１４０、１５０及び１６０においてチャネルリスニングを行って上り伝送を試すことを特定する。基地局がサブフレーム１２０において送信したスケジューリング情報によって、移動局はサブフレーム１８０においてチャネルリスニングを行って上り伝送を試すことを特定する。
【００１１】
なお、スケジューリング情報は、移動局が各上り伝送サブフレームにおいてチャネルリスニングを行う場合に使用されるリスニング方式に関する情報をさらに含んでもよい。ＬＡＡシステムにおいては多様なリスニング方式が存在してもよい。具体的には、ＬＡＡシステムにおいて４つのカテゴリのチャネルリスニング方式が存在してもよく、すなわち、カテゴリ（Ｃａｔｅｇｏｒｙ）１〜カテゴリ４である。それぞれのチャネルリスニング方式において、チャネルへのアクセスの難しさも異なる。例えば、カテゴリ１において、通信装置（例えば、基地局又は移動局）はチャネルリスニングを行う必要がなく、カテゴリ２において、通信装置は一定時間（例えば、２５μｓ）のリスニングを行う必要があり、ランダムに退避する必要はなく、カテゴリ３において、通信装置はコンテンションウィンドウサイズが固定されたランダム退避アルゴリズムによるチャネルリスニングを行う必要がある。カテゴリ４において、通信装置はコンテンションウィンドウサイズが可変のランダム退避アルゴリズムによるチャネルリスニングを行う必要がある。
【００１２】
基地局が移動局の各サブフレームにおけるチャネルリスニング結果を特定することができない状況下において、非ライセンス帯域における動作の公平性を保つためには、基地局は一般的には移動局に、各上り伝送サブフレームのいずれにおいても難しさがより高い方式によってアクセスすることを指示する。すなわち、ＷｉＦｉに類似のチャネルアクセス方式によってチャネルリスニングを行うことを移動局に指示する。例えば、基地局は移動局に各上り伝送サブフレームのいずれにおいてもカテゴリ４によってチャネルへのリスニングを行うことを指示する。これによって移動局が上り伝送を行うことが望まれる各サブフレームのいずれにおいても、より複雑なチャネルリスニングプロセスを経過してから、チャネルにアクセスすることができることになる。
【００１３】
本発明の実施例はチャネルアクセス方法を改良した。以下、図面を参照しながら本発明の実施例について説明する。図２は本発明の１つの実施例に係る移動局によって実行されるチャネルアクセス方法２００を示すフローチャートである。図２に示すように、ステップＳ２０１においては、第１のサブフレームにおいて移動局が第１のリスニング方式によってチャネルリスニングを行ったか否かを特定し、第１のサブフレームにおける上り伝送に成功したか否かを特定する。本発明の１つの例によれば、第１のサブフレームは、基地局に指示された、移動局がチャネルリスニングを行って上り伝送を試すことができる上り伝送サブフレームのうちの１つのサブフレームである。なお、第１のリスニング方式はより高いチャネルアクセスの難しさを有してもよい。例えば、第１のリスニング方式はカテゴリ４のリスニング方式であってもよい。
【００１４】
第１のサブフレームにおいて移動局が第１のリスニング方式によってチャネルリスニングを行って第１のサブフレームにおける上り伝送に成功した場合、ステップＳ２０２においては、第１のサブフレームに後続する、第１のサブフレームからの最大のチャネル占有時間（ＭＣＯＴ：Ｍａｘｉｍｕｍ  Ｃｈａｎｎｅｌ  Ｏｃｃｕｐａｎｃｙ  Ｔｉｍｅ）内の第２のサブフレームにおいて、第２のリスニング方式によってチャネルリスニングを行い、そのうち、最大のチャネル占有時間はチャネルにおいて移動局に占有されることが許可された所定の数のサブフレームである。本発明の１つの例によれば、第２のサブフレームは基地局に指示された、移動局がチャネルリスニングを行って上り伝送を試すことができる上り伝送サブフレームのうちの別のサブフレームであり、第２のサブフレームは第１のサブフレームの後にある。なお、第２のリスニング方式のチャネルアクセスの難しさは第１のリスニング方式のチャネルアクセスの難しさより低い。例えば、第１のリスニング方式がカテゴリ４のリスニング方式である場合、第２のリスニング方式はカテゴリ１又はカテゴリ２のリスニング方式である。
【００１５】
上述したように、基地局が移動局の各サブフレームにおけるチャネルリスニング結果を特定することができない状況下において、非ライセンス帯域における動作の公平性を保つために、基地局は一般的には各上り伝送サブフレームのいずれにおいても難しさがより高いアクセス方式によってチャネルリスニングを行うことを移動局に指示する。具体的には、図２に示す方法は、移動局に第２のサブフレームにおいて第１のリスニング方式によってチャネルリスニングを行うことを指示する第１のスケジューリング情報を受信することをさらに含んでもよい。本発明の１つの例によれば、第１のサブフレームにおいて移動局が第１のリスニング方式によってチャネルリスニングを行って第１のサブフレームにおける上り伝送に成功した場合には、上記第１のスケジューリング情報を受信しても、第２のサブフレームにおいては第２のリスニング方式によってチャネルリスニングを行う。すなわち移動局は該移動局の第１のサブフレームにおけるチャネルアクセス状況によって第１のサブフレームの後の第２のサブフレームにおけるチャネルリスニング方式を調整する。
【００１６】
なお、予め移動局に様々なリスニング方式に許容されるＭＣＯＴを記憶してもよい。又は、基地局によって移動局へ様々なリスニング方式又は他の設定に基づいたＭＣＯＴに関する情報を送信してもよい。上述したように、ＭＣＯＴはチャネルにおいて移動局に占有されることが許可された期間又は所定の数のサブフレームである。具体的なチャネル使用状況によって、最大のチャネル占有時間は１つのサブフレームを含んでもよく、複数のサブフレームを含んでもよい。
【００１７】
なお、図２に示す方法は、第２のサブフレームが第１のサブフレームからの最大のチャネル占有時間内にあるか否かを特定することをさらに含んでもよい。本発明の１つの例によれば、ＭＣＯＴに含まれた所定の数のサブフレームは連続してもよい。この場合、所定の数と、第１のサブフレームと第２のサブフレームとの間のサブフレームの数によって、第２のサブフレームが第１のサブフレームからの最大のチャネル占有時間内にあるか否かを特定することができる。例えば、第１のサブフレームと第２のサブフレームとの間のサブフレーム（第１のサブフレーム及び第２のサブフレームを含んでもよい）数が所定の数以下である場合、第２のサブフレームが第１のサブフレームからの最大のチャネル占有時間内にあると特定することができる。
【００１８】
図１に示す例示において、移動局のＭＣＯＴは３つのサブフレームである。ＭＣＯＴに含まれた３つのサブフレームが連続しているとすれば、移動局がサブフレーム１４０において第１のリスニング方式によってチャネルリスニングを行って上り伝送に成功した場合、サブフレーム１５０において、移動局はサブフレーム１５０とサブフレーム１４０との間のサブフレームの数が３つのサブフレーム未満であり、すなわち、サブフレーム１５０はサブフレーム１４０からの最大のチャネル占有時間内にあると特定する。同様に、移動局はサブフレーム１６０がサブフレーム１４０からの最大のチャネル占有時間内にあると特定することができる。したがってステップＳ２０２によれば、基地局がサブフレーム１１０において送信したスケジューリング情報が移動局に、サブフレーム１５０及び１６０におけるチャネルリスニング方式が第１のチャネルリスニング方式であることを指示していても、移動局はアクセスの難しさがより低い第２のリスニング方式によってチャネルリスニングを行ってもよい。
【００１９】
なお、移動局はサブフレーム１８０とサブフレーム１４０との間のサブフレームの数がサブフレーム１４０からの最大のチャネル占有時間を超えていると特定することができる。したがってサブフレーム１８０において、移動局は、基地局がサブフレーム１２０において送信したスケジューリング情報に指示された移動局の該サブフレームにおけるチャネルリスニング方式によってチャネルリスニングを行い、ステップＳ２０２においてチャネルリスニング方式の調整を行わない。
【００２０】
本発明の別の例によれば、ＭＣＯＴに含まれた所定の数のサブフレームは移動局がスケジューリングされチャネルリスニングを行ったサブフレームの数であり、所定の数のサブフレームは連続してもよく、不連続してもよい。この場合、所定の数と、第１のサブフレームと第２のサブフレームとの間で移動局がスケジューリングされチャネルリスニングを行ったサブフレームの数によって、現在のサブフレームが第１のサブフレームからの最大のチャネル占有時間内にあるか否かを特定することができる。例えば、第１のサブフレームと第２のサブフレームとの間で移動局がスケジューリングされチャネルリスニングを行ったサブフレーム（第１のサブフレーム及び第２のサブフレームを含んでもよい）の数が所定の数以下である場合、第２のサブフレームが第１のサブフレームからの最大のチャネル占有時間内にあると特定することができる。
【００２１】
図１に示す例において、ＭＣＯＴに含まれた３つのサブフレームが不連続しているとする。移動局がサブフレーム１４０において第１のリスニング方式によってチャネルリスニングを行ったものの、リスニング結果によって上り伝送を行うことができず、サブフレーム１５０において第１のリスニング方式によってチャネルリスニングを行って上り伝送に成功した場合、サブフレーム１６０及びサブフレーム１８０において、移動局はサブフレーム１５０とサブフレーム１８０との間で移動局がスケジューリングされチャネルリスニングを行ったサブフレームの数が３（サブフレーム１５０、サブフレーム１６０及びサブフレーム１８０を含む）であり、所定の数と同じであると、すなわち、サブフレーム１６０及びサブフレーム１８０がサブフレーム１５０からの最大のチャネル占有時間内にあると特定する。ステップＳ２０２においては、基地局がサブフレーム１２０において送信したスケジューリング情報が移動局にサブフレーム１６０及びサブフレーム１８０におけるチャネルリスニング方式が第１のチャネルリスニング方式であると指示していても、移動局はアクセスの難しさがより低い第２のリスニング方式によってチャネルリスニングを行ってもよい。
【００２２】
チャネルがビジーのため、リスニング結果によってチャネルにアクセスできないと特定する場合もある。本発明の別の例によれば、ＭＣＯＴに含まれた所定の数のサブフレームは移動局がスケジューリングされ、チャネルリスニングを行って上り伝送に成功したサブフレームの数であり、所定の数のサブフレームは連続してもよく、不連続してもよい。この場合、所定の数と、第１のサブフレームと第２のサブフレームとの間で移動局がスケジューリングされ、チャネルリスニングを行って上り伝送に成功したサブフレームの数によって、現在のサブフレームが第１のサブフレームからの最大のチャネル占有時間内にあるか否かを特定する。例えば、第１のサブフレームと第２のサブフレームとの間で移動局がスケジューリングされ、チャネルリスニングを行って上り伝送に成功したサブフレーム（第１のサブフレーム及び第２のサブフレームを含んでもよい）の数が所定の数以下である場合、第２のサブフレームが第１のサブフレームからの最大のチャネル占有時間内にあると特定することができる。
【００２３】
図３は本発明の実施例に係る通信システムによって非ライセンス帯域を使用して伝送を行う別の例の様子を示す説明図である。図３に示すように、サブフレーム３１０において、基地局はチャネルリスニングを行い下り伝送を行う。例えば、下り伝送サブフレームにおいて、基地局は、移動局がスケジューリング情報によって非ライセンス帯域に対してチャネルリスニングを行い、リスニング結果によってチャネルにアクセスして上り伝送を行うことができるか否かを特定するように、移動局へスケジューリング情報を含んだ制御シグナリングを送信する。基地局がサブフレーム３１０において送信したスケジューリング情報によって、移動局はサブフレーム３３０、３５０−ａ、３５０−ｂ、３７０−ａ〜３７０−ｃにおいてチャネルリスニングを行って上り伝送を試すことを特定する。
【００２４】
図３に示す例示において、移動局がサブフレーム３３０から第１のリスニング方式によってチャネルにアクセスするＭＣＯＴは４つのサブフレームを含む。移動局はサブフレーム３３０において第１のリスニング方式によってチャネルリスニングを行う。移動局がサブフレーム３３０においてチャネルリスニングを行って上り伝送に成功し、サブフレーム３５０−ａにおいてチャネルリスニングを行ったものの、チャネルにアクセスして上り伝送に成功することができず、サブフレーム３５０−ｂ、３７０−ａにおいてチャネルリスニングを行って上り伝送に成功したとする。サブフレーム３７０−ｂにおいて、移動局はサブフレーム３３０とサブフレーム３７０−ｂとの間で移動局がスケジューリングされ、チャネルリスニングを行って上り伝送に成功したサブフレームのサブフレーム数（サブフレーム３３０、３５０−ｂ及び３７０−ａを含む）が３であり、ＭＣＯＴに含まれたサブフレーム数未満であると、すなわち、サブフレーム３７０−ｂがサブフレーム３３０からの最大のチャネル占有時間内にあると特定する。ステップＳ２０２によって、基地局がサブフレーム３１０において送信したスケジューリング情報が移動局にサブフレーム３７０−ｂにおけるチャネルリスニング方式が第１のチャネルリスニング方式を指示していても、移動局はアクセスの難しさがより低い第２のリスニング方式によってチャネルリスニングを行う。
【００２５】
以上、図１〜３を参照しながら説明した、本発明の上記実施例に係るチャネルアクセス方法において、移動局が第１のサブフレームにおいて第１のリスニング方式によってチャネルリスニングを行って上り伝送に成功した場合、第１のサブフレームからの該移動局の最大のチャネル占有時間内で、移動局は第１のサブフレームに後続するサブフレームにおいてアクセスの難しさがより低いチャネルリスニング方式によってチャネルをリスニングしてチャネルアクセスを試すことができる。したがってチャネルアクセスの難しさを軽減させ、チャネルアクセスのチャンスを増やす。
【００２６】
なお、特定の場合によって、基地局は移動局にチャネルアクセスの難しさがより低いリスニング方式によってチャネルリスニングを行うことを指示してもよい。ただし、基地局が移動局の実際のチャネルアクセスの状況を特定できないため、基地局に指示された、チャネルアクセスの難しさがより低いリスニング方式によってチャネルリスニングを行うサブフレームが不適切である可能性がある。好ましくは、移動局はチャネルリスニングを行ってチャネルアクセスを試すサブフレームが第１のサブフレームからの最大チャネル占有時間を超えているか否かによってチャネルリスニング方式をさらに調整してもよい。
【００２７】
本発明の１つの例によれば、図１に示す方法は、第２のスケジューリング情報を受信し、第２のスケジューリング情報が、移動局に第１のサブフレームからの最大のチャネル占有時間直後の第３のサブフレームにおいて第２のリスニング方式によってチャネルリスニングを行うことを指示した場合、第３のサブフレームにおいて第１のリスニング方式によってチャネルリスニングを行うステップをさらに含んでもよい。すなわち、第３のサブフレームが第１のサブフレームからの最大のチャネル占有時間の範囲内ではなく、第１のサブフレームからの最大のチャネル占有時間直後にある場合、第２のスケジューリング情報が、第３のサブフレームにおいてチャネルアクセスの難しさがより低い第２のリスニング方式によってチャネルリスニングを行うことを指示していても、移動局は第３のサブフレームにおいて第１のリスニング方式によってチャネルリスニングを行う。
【００２８】
以上、図１〜３を参照しながら説明した、本発明の上記実施例に係るチャネルアクセス方法においては、移動局のチャネルアクセスの複雑さを軽減した。本発明の別の実施例によれば、基地局によってさらに高効率的にチャネルアクセスを行うチャネルアクセス方法を提供する。図４は本発明の別の実施例に係る基地局によって実行されるチャネルアクセス方法を示すフローチャートである。
【００２９】
図４に示すように、ステップＳ４０１において、移動局の第１のサブフレームからの最大のチャネル占有時間を特定し、当該最大のチャネル占有時間はチャネルにおいて移動局に占有されることが許可された所定の数のサブフレームであり、第１のサブフレームにおいて、移動局は第１のリスニング方式によって上り伝送を行う。以上、最大のチャネル占有時間に含まれたサブフレームについて詳細に説明したため、ここでは説明を省略する。
【００３０】
ステップＳ４０２において、基地局が移動局の最大のチャネル占有時間におけるサブフレームを占有して下り伝送を行う必要がある占有サブフレーム数を特定する。次いで、ステップＳ４０３において、第１のサブフレームからチャネルリスニングを行って上り伝送を行うことを移動局に指示するように、占有サブフレーム数に基づき移動局へのスケジューリング情報を生成して移動局へ送信する。例えば、スケジューリング情報は上り伝送サブフレームに関する情報を含み、スケジューリング情報により指示される上り伝送サブフレームは移動局の最大のチャネル占有時間に含まれたサブフレーム数から上記占有サブフレーム数を引いたもの以下であってもよい。
【００３１】
したがって、第１のサブフレームからの最大のチャネル占有時間内で、基地局は占有サブフレーム数のサブフレームを使用して下り伝送を行う。第１のサブフレームからの最大のチャネル占有時間内で基地局が下り伝送を行う場合、基地局はチャネルアクセスの難しさがより低いリスニング方式によってチャネルをリスニングしてもよい。具体的には、ステップＳ４０４において、移動局がスケジューリング情報によって上り伝送を行った後に、特定された占有サブフレーム数のサブフレームにおいて、第２のリスニング方式によって下り伝送を行い、第１のサブフレームにおいて、移動局は第１のリスニング方式によって上り伝送を行い、第２のリスニング方式のチャネルアクセスの難しさは、第１のリスニング方式のチャネルアクセスの難しさより低い。
【００３２】
本実施例において、移動局がスケジューリング情報によって上り伝送を行った後に、特定された占有サブフレーム数のサブフレームとは移動局がスケジュールング情報によって上り伝送を行ったサブフレームの後にある、基地局がチャネルリスニングを行うサブフレームを指す。移動局がスケジューリング情報によって上り伝送を行ったサブフレームの後にある、基地局がチャネルリスニングを行うサブフレームと、移動局がスケジューリング情報によって上り伝送を行ったサブフレームとは連続するサブフレームであってもよく、不連続するサブフレームであってもよい。
【００３３】
図５は本発明の実施例に係る通信システムによって非ライセンス帯域を使用して伝送を行えるもう１つの例の様子を示す説明図である。図５に示す例示において、移動局のＭＣＯＴは４つのサブフレームを含む。ステップＳ４０２において、基地局は２つのサブフレームを占有する必要があると特定する。次いでステップＳ４０３において、基地局は、移動局にサブフレーム５３０及びサブフレーム５４０においてチャネルリスニングを行って上り伝送を行うことを指示するように、ＭＣＯＴに含まれたサブフレーム数及び基地局が占有する必要があるサブフレーム数によってスケジューリング情報を生成し、サブフレーム５１０において移動局へ送信する。移動局がサブフレーム５１０において送信されたスケジューリング情報によってサブフレーム５３０及びサブフレーム５４０においてチャネルリスニングを行って上り伝送を行った後に、基地局は占有したサブフレーム数によって、サブフレーム５６０及びサブフレーム５７０において下り伝送を行う。サブフレーム５６０及びサブフレーム５７０がサブフレーム５３０からの移動局のＭＣＯＴ内にあるため、サブフレーム５６０及びサブフレーム５７０において、基地局はチャネルアクセスの難しさがより低い第２のリスニング方式によってチャネルをリスニングしてもよい。
【００３４】
なお、好ましくは、基地局は占有サブフレームにおいて、最大のチャネル占有時間が占有された移動局に関する情報のみを送信し、他の移動局に関する情報は送信しなくてもよい。
【００３５】
以上、図４を参照しながら説明した、本発明の上記実施例に係るチャネルアクセス方法において、基地局は移動局のＭＣＯＴにおける時間によって下り伝送を行う。この場合、基地局はチャネルアクセスの難しさがより低い第２のリスニング方式によってチャネルをリスニングしてもよく、基地局のチャネルアクセスの難しさが軽減する。
【００３６】
以下、図６を参照しながら本発明の実施例に係る移動局について説明する。図６は本発明の実施例に係る移動局６００を示すブロック図である。図６に示すように、移動局６００は伝送特定部６１０及びチャネルアクセス部６２０を含む。この２つの構成要素以外にも、移動局６００はデータ信号又は制御信号に対して様々な処理を行う構成要素など他の構成要素をさらに含んでもよく、ただし、これらの構成要素は本発明の実施例の内容に関わらないため、ここではその図示及び説明を省略する。なお、本発明の実施例に係る移動局６００が実行する下記の動作の詳細は、以上の文面において図１〜３を参照し説明した詳細と同じであり、そのためここでは重複を避けるために同じ詳細についての重複する説明を省略する。
【００３７】
伝送特定部６１０は、第１のサブフレームにおいて移動局は第１のリスニング方式によってチャネルリスニングを行ったか否かを特定し、第１のサブフレームにおける上り伝送に成功したか否かを特定する。本発明の１つの例によれば、第１のサブフレームは基地局に指示された、移動局がチャネルリスニングを行って上り伝送を試すことができる上り伝送サブフレームのうちの１つのサブフレームである。なお、第１のリスニング方式はより高いチャネルアクセスの難しさを有する。例えば、第１のリスニング方式はカテゴリ４のリスニング方式であってもよい。
【００３８】
第１のサブフレームにおいて移動局が第１のリスニング方式によってチャネルリスニングを行って第１のサブフレームにおける上り伝送に成功した場合、チャネルアクセス部６２０は第１のサブフレームに後続し、第１のサブフレームからＭＣＯＴ内にある第２のサブフレームにおいて、第２のリスニング方式によってチャネルリスニングを行い、そのうち、最大のチャネル占有時間は、チャネルにおいて移動局に占有されることが許可された所定の数のサブフレームである。本発明の１つの例によれば、第２のサブフレームは基地局に指示された、移動局がチャネルリスニングを行って上り伝送を試すことができる上り伝送サブフレームの中の別のサブフレームであり、第２のサブフレームは第１のサブフレームの後にある。なお、第２リスニング方式のチャネルアクセスの難しさは第１のリスニング方式のチャネルアクセスの難しさより低い。例えば、第１のリスニング方式がカテゴリ４のリスニング方式である場合、第２のリスニング方式はカテゴリ１又はカテゴリ２のリスニング方式であってもよい。
【００３９】
上述したように、基地局が移動局の各サブフレームにおけるチャネルリスニング結果を特定することができない状況下において、非ライセンス帯域における動作の公平性を保つために、基地局は一般的には移動局に各上り伝送サブフレームのいずれにおいてもアクセスの難しさがより高いアクセス方式によってチャネルリスニングを行うことを指示する。具体的には、図６に示す移動局は、移動局に第２のサブフレームにおいて第１のリスニング方式によってチャネルリスニングを行うことを指示する第１のスケジュールング情報を受信するための受信部をさらに含んでもよい。本発明の１つの例によれば、第１のサブフレームにおいて移動局が第１のリスニング方式によってチャネルリスニングを行って第１のサブフレームにおける上り伝送に成功した場合には、第１のスケジューリング情報を受信しても、チャネルアクセス部６２０は第２のサブフレームにおいて第２のリスニング方式によってチャネルリスニングを行う。すなわち、移動局は該移動局の第１のサブフレームにおけるチャネルアクセス状況によって第１のサブフレームの後の第２のサブフレームにおけるチャネルリスニング方式を調整してもよい。
【００４０】
なお、予め移動局に様々なリスニング方式に許容されるＭＣＯＴを記憶してもよい。又は、基地局によって移動局へ様々なリスニング方式又は他の設定に基づいたＭＣＯＴに関する情報を送信してもよい。上述したように、ＭＣＯＴはチャネルにおいて移動局に占有されることが許可された所定の数のサブフレームである。具体的なチャネル使用状況によって、最大のチャネル占有時間は１つのサブフレームを含んでもよく、複数のサブフレームを含んでもよい。
【００４１】
なお、図６に示す移動局は第２のサブフレームが第１のサブフレームからの最大のチャネル占有時間内にあるか否かを特定するためのサブフレーム特定部をさらに含んでもよい。本発明の１つの例によれば、ＭＣＯＴに含まれた所定の数のサブフレームは連続してもよい。この場合、サブフレーム特定部は所定の数と、第１のサブフレームと第２のサブフレームとの間のサブフレームの数によって、第２のサブフレームが第１のサブフレームからの最大のチャネル占有時間内にあるか否かを特定することができる。例えば、第１のサブフレームと第２のサブフレームとの間隔のサブフレーム（第１のサブフレーム及び第２のサブフレームを含んでもよい）数が所定の数以下である場合、サブフレーム特定部は第２のサブフレームが第１のサブフレームからの最大のチャネル占有時間内にあることを特定する。
【００４２】
本発明の別の例によれば、ＭＣＯＴに含まれた所定の数のサブフレームは移動局がスケジューリングされチャネルリスニングを行ったサブフレームの数であり、所定の数のサブフレームは連続してもよく、不連続してもよい。この場合、サブフレーム特定部は所定の数と、第１のサブフレームと第２のサブフレームとの間で移動局がスケジューリングされチャネルリスニングを行ったサブフレームの数によって、現在のサブフレームが第１のサブフレームからの最大のチャネル占有時間内にあるか否かを特定することができる。例えば、第１のサブフレームと第２のサブフレームとの間で移動局がスケジューリングされチャネルリスニングを行ったサブフレームの数（第１のサブフレーム及び第２のサブフレームを含んでもよい）が所定の数以下である場合、サブフレーム特定部は第２のサブフレームが第１のサブフレームからの最大のチャネル占有時間内にあることを特定することができる。
【００４３】
チャネルがビジーのため、リスニング結果によってチャネルにアクセスできないと特定する場合もある。本発明の別の例によれば、ＭＣＯＴに含まれた所定の数のサブフレームは移動局がスケジューリングされ、チャネルリスニングを行って上り伝送に成功したサブフレームの数であり、所定の数のサブフレームは連続してもよく、不連続してもよい。この場合、サブフレーム特定部は所定の数と、第１のサブフレームと第２のサブフレームとの間で移動局がスケジューリングされ、チャネルリスニングを行って上り伝送に成功したサブフレームの数によって、現在のサブフレームが第１のサブフレームからの最大のチャネル占有時間内にあるか否かを特定することができる。例えば、第１のサブフレームと第２のサブフレームとの間で移動局がスケジューリングされ、チャネルリスニングを行って上り伝送に成功したサブフレーム（第１のサブフレーム及び第２のサブフレームを含んでもよい）の数が所定の数以下である場合、サブフレーム特定部は第２のサブフレームが第１のサブフレームからの最大のチャネル占有時間内にあることを特定することができる。
【００４４】
以上、図６を参照しながら説明した、本発明の上記実施例に係る移動局において、移動局が第１のサブフレームにおいて第１のリスニング方式によってチャネルリスニングを行って上り伝送に成功した場合、第１のサブフレームからの該移動局の最大のチャネル占有時間内で、移動局は第１のサブフレームに後続するサブフレームにおいてアクセスの難しさがより低いチャネルリスニング方式によってチャネルをリスニングしてチャネルアクセスを試してもよい。したがってチャネルアクセスの難しさを軽減させる。
【００４５】
なお、特定の場合において、基地局は移動局にチャネルアクセスの難しさがより低いリスニング方式によってチャネルリスニングを行うことを指示してもよい。ただし、基地局が移動局の実際のチャネルアクセスの状況を特定できないため、基地局に指示された、チャネルアクセスの難しさがより低いリスニング方式によってチャネルリスニングを行うサブフレームが不適切である可能性がある。好ましくは、移動局はさらにチャネルリスニングを行ってチャネルアクセスを試すサブフレームが第１のサブフレームからの最大チャネル占有時間を超えているか否かによってチャネルリスニング方式をさらに調整してもよい。
【００４６】
本発明の１つの例によれば、図６に示す移動局におけるチャネルアクセス部６２０はさらに第２のスケジューリング情報が、移動局に第１のサブフレームからの最大のチャネル占有時間直後の第３のサブフレームにおいて第２のリスニング方式によってチャネルリスニングを行うことを指示した場合、第３のサブフレームにおいて第１のリスニング方式によってチャネルリスニングを行ってもよい。すなわち、第３のサブフレームが第１のサブフレームからの最大のチャネル占有時間の範囲内ではなく、第１のサブフレームからの最大のチャネル占有時間直後にある場合、第２のスケジューリング情報が、第３のサブフレームにおいてチャネルアクセスの難しさがより低い第２のリスニング方式によってチャネルリスニングを行うことを指示しても、チャネルアクセス部６２０は第３のサブフレームにおいて第１のリスニング方式によってチャネルリスニングを行う。
【００４７】
以上、図６を参照しながら説明した実施例においては移動局のチャネルアクセスの難しさを軽減した。本発明の別の実施例によれば、基地局によってさらに高効率的にチャネルアクセスを行うチャネルアクセス方法を提供する。図７は本発明の別の実施例に係る基地局７００を示すブロック図である。図７に示すように、基地局７００は時間特定部７１０、サブフレーム特定部７２０、スケジューリング情報生成部７３０及びチャネルアクセス部７４０を含む。この４つの要素以外にも、基地局７００はデータ信号又は制御信号に対して様々な処理を行うような他の構成要素をさらに含んでもよく、ただし、これらの構成要素は本発明の実施例の内容に関わらないため、ここではその図示及び説明を省略する。なお、本発明の実施例に係る基地局７００が実行する下記の動作の詳細は、以上の文面において図４を参照し説明した詳細と同じであり、そのためここでは重複を避けるために同じ詳細についての重複な説明を省略する。
【００４８】
時間特定部７１０は移動局の第１のサブフレームからの最大のチャネル占有時間を特定し、そのうち最大のチャネル占有時間はチャネルにおいて移動局に占有されることが許可された所定の数のサブフレームであり、第１のサブフレームにおいて、移動局は第１のリスニング方式によって上り伝送を行う。上記文面において、最大のチャネル占有時間に含まれたサブフレームについて詳細に説明したため、ここでは重複な説明を省略する。サブフレーム特定部７２０は、基地局が移動局の最大のチャネル占有時間におけるサブフレームを占有して下り伝送を行う必要がある占有サブフレーム数を特定する。そして、スケジューリング情報生成部７３０は、移動局に第１のサブフレームからチャネルリスニングを行って上り伝送を行うことを指示するように、占有サブフレーム数によって移動局へのスケジューリング情報を生成し移動局に送信する。例えば、スケジューリング情報は上り伝送サブフレームに関する情報を含み、スケジューリング情報により指示される上り伝送サブフレームは移動局の最大のチャネル占有時間に含まれたサブフレーム数から占有サブフレーム数を引いたもの以下であってもよい。
【００４９】
したがって、第１のサブフレームからの最大のチャネル占有時間内で、基地局は占有サブフレーム数のサブフレームによって下り伝送を行ってもよい。また、第１のサブフレームからの最大のチャネル占有時間内で基地局が下り伝送を行う場合、基地局はチャネルアクセスの難しさがより低いリスニング方式によってチャネルをリスニングしてもよい。具体的には、チャネルアクセス部７４０は移動局がスケジューリング情報によって上り伝送を行った後に、特定された占有サブフレーム数のサブフレームにおいて、第２のリスニング方式によって下り伝送を行い、第１のサブフレームにおいて、移動局は第１のリスニング方式によって上り伝送を行い、第２のリスニング方式のチャネルアクセスの難しさは、第１のリスニング方式のチャネルアクセスの難しさより低い。
【００５０】
本例示において、移動局がスケジューリング情報によって上り伝送を行った後に特定された占有サブフレーム数のサブフレームとは、移動局がスケジュールング情報によって上り伝送を行った後に、基地局がチャネルリスニングを行うサブフレームを指す。移動局がスケジューリング情報によって上り伝送を行った後に基地局がチャネルリスニングを行うサブフレームと、移動局がスケジューリング情報によって上り伝送を行ったサブフレームは連続するサブフレームであってもよく、不連続するサブフレームであってもよい。
【００５１】
なお、好ましくは、基地局は占有サブフレームにおいて最大のチャネル占有時間が占有された移動局に関する情報のみを送信し、他の移動局に関する情報は送信しなくてもよい。
【００５２】
以上、図７を参照しながら説明した、本発明の上記実施例に係るチャネルアクセス方法において、基地局は移動局のＭＣＯＴにおける時間を用いて下り伝送を行っても良い。なお、好ましくは、移動局のＭＣＯＴにおける時間を用い下り伝送を行う場合、基地局はチャネルアクセスの難しさがより低い第２のリスニング方式によってチャネルをリスニングしてもよく、基地局のチャネルアクセスの複雑さが軽減する。
【００５３】
上記移動局６００及び基地局７００の動作はハードウェアにて実施されてもよく、プロセッサによって実行されるソフトウェアモジュールにて実施されてもよく、さらに両者の組み合わせにて実施されてもよい。例えば、プロセッサによって実行されるソフトウェアモジュールにて移動局における伝送特定部、サブフレーム特定部及び基地局における時間特定部、サブフレーム特定部、スケジューリング情報生成部を実施してもよい。ソフトウェアモジュールはいかなる形式の記憶媒体、例えば、ＲＡＭ（ランダムアクセスメモリ）、フラッシュメモリ、ＲＯＭ（読み取り専用メモリ）、ＥＰＲＯＭ（消去可能なプログラマブルＲＯＭ）、ＥＥＰＡＲＯＭ（電気的消去可能なプログラマブルＲＯＭ）、レジスタ、ハードディスク、取り外し可能ディスク及びＣＤ−ＲＯＭに格納されてもよい。
【００５４】
このような記憶媒体をプロセッサに接続し、プロセッサは該記憶媒体に情報を書き込み、又は該記憶媒体から情報を読み取れるようにする。このような記憶媒体はさらにプロセッサにおいて積み重ねられてもよい。このような記憶媒体及びプロセッサはＡＳＩＣ（特定用途向け集積回路）に配置されてもよい。このようなＡＳＩＣは移動局６００及び基地局７００に配置されてもよい。独立したユニットとして、このような記憶媒体及びプロセッサは移動局６００及び基地局７００に配置されてもよい。
【００５５】
このように、上記実施例により本発明について詳細に説明した。しかしながら、当業者にとって理解すべきことは、本発明はここに説明した実施例に限定されるものではない。本発明は特許請求の範囲により限定される本発明の範囲を逸脱しない状況の下で修正、変更された態様で実施されてもよい。したがって、明細書における説明は例示を解釈することのみを意図しており、本発明にいかなる限定的な意味も加えない。
【図１】
2018030539.tif 000003
【図２】
2018030539.tif 000004
【図３】
2018030539.tif 000005
【図４】
2018030539.tif 000006
【図５】
2018030539.tif 000007
【図６】
2018030539.tif 000008
【図７】
2018030539.tif 000009
【国際調査報告】
2018030539.tif 000010
2018030539.tif 000011
2018030539.tif 000012
2018030539.tif 000013